(57)【要約】【課題】  一対の反射部材間に形成される光反射空間内に装飾体と光源とを配置することによって、奥行感、立体感のある装飾体像を視認可能とし、遊技者の興趣を飛躍的に高めることのできる遊技機用演出表示装置とそれを備えた遊技機を提供する。【解決手段】  演出表示装置１０の光反射空間Ｓでは、周囲に配置された各ＬＥＤ１４からの光は装飾体１３の表面で乱反射してきらきら輝くとともに、前後の反射膜１１１，１２１間で繰り返し反射する。これらの反射光は、前後の反射膜１１１，１２１における反射のたびに装飾体像１３Ｉを結び、これらの装飾体像１３Ｉは後方鏡１２から後方に向かって順次断続的に並ぶ。各ＬＥＤ１４自身の光も前後の反射膜１１１，１２１間で繰り返し反射し、反射のたびに光源像１４Ｉを結び、これらの光源像１４Ｉもやはり後方鏡１２から後方に向かって順次断続的に並ぶ。【選択図】  図４
2010148684.tif 000002
【特許請求の範囲】
【請求項１】
遊技機に取り付けられる遊技機用演出表示装置であって、
それぞれが反射層を含み、それらの反射層を所定距離離間して対向配置することにより、両反射層間で光を繰り返し反射させるための光反射空間を形成するとともに、少なくとも遊技者に対面する前方側のものが光反射機能と光透過機能とを有する半透鏡として構成される一対の反射部材と、
前記光反射空間内に配置され、演出表示のために所定の形態を有する装飾体と、
同じく前記光反射空間内に配置され、前記装飾体に光を照射するための光源とを備え、
前記光源から発した光は、前記装飾体を照射し、かつ前記光反射空間内で繰り返し反射することにより後方側の第二反射部材から後方に向かって順次並ぶ複数の装飾体像を結び、前方側の第一反射部材を介してそれらの装飾体像を遊技者が視認可能であることを特徴とする遊技機用演出表示装置。
【請求項２】
前記光源は前記装飾体の周面外方に配置され、
発光状態の光源自身の光が前記光反射空間内で繰り返し反射することにより前記第二反射部材から後方に向かって順次並ぶ複数の光源像を結び、前記第一反射部材を介してそれらの光源像を遊技者が視認可能である請求項１に記載の遊技機用演出表示装置。
【請求項３】
前記第一反射部材を構成する半透鏡は、暗い側からは明るい側を透視しやすく、明るい側からは暗い側を透視しにくくなるように、前記光反射機能と光透過機能とが調整され、
前記光源の発光時には前記第一反射部材を介して前記装飾体像を遊技者が視認可能となる一方、前記光源の非発光時には前記装飾体像を遊技者が視認困難となる請求項１又は２に記載の遊技機用演出表示装置。
【請求項４】
前記装飾体は、前記光反射空間内において、前記第一反射部材及び第二反射部材のいずれからも離間する形で、両反射部材の間に配置されている請求項１ないし３のいずれか１項に記載の遊技機用演出表示装置。
【請求項５】
前記第二反射部材は、暗い側からは明るい側を透視しやすく、明るい側からは暗い側を透視しにくくなるように、光反射機能と光透過機能とが調整された半透鏡にて構成されるとともに、
前記第二反射部材の後方には、その第二反射部材を介して前記装飾体に光を照射するための補助光源を備え、
前記補助光源の発光時には、前記第一反射部材及び第二反射部材を介し、前記補助光源の光で照らし出された装飾体を遊技者が視認可能である請求項１ないし４のいずれか１項に記載の遊技機用演出表示装置。
【請求項６】
前記補助光源と第二反射部材との間には、前記補助光源からの光が前方側に位置する前記装飾体に向けて前記第二反射部材の前面側から拡散するための光拡散透過部材を備えている請求項５に記載の遊技機用演出表示装置。
【請求項７】
前記第二反射部材の後方には、前後方向に所定の厚みを有し、かつ周面側に配置された前記補助光源から導入された光が前方側に位置する前記装飾体に向けて前記第二反射部材の前面側から導出可能な透光性の導光部材を備えている請求項５に記載の遊技機用演出表示装置。
【請求項８】
前記第一反射部材と第二反射部材とのうち少なくともいずれか一方は、前記装飾体に対して位置変更可能である請求項１ないし７のいずれか１項に記載の遊技機用演出表示装置。
【請求項９】
前記装飾体は、前記光反射空間内において前記第一反射部材及び第二反射部材とは独立して単独で、又は前記第一反射部材若しくは第二反射部材と一体となって、位置変更可能である請求項１ないし７のいずれか１項に記載の遊技機用演出表示装置。
【請求項１０】
請求項１ないし９のいずれか１項に記載の遊技機用演出表示装置を備えることを特徴とする遊技機。
【発明の詳細な説明】
【技術分野】
【０００１】
本発明は、遊技機用演出表示装置とその演出表示装置を備えた遊技機に関する。
【背景技術】
【０００２】
従来から、パチンコ機、アレパチ機等の弾球遊技機やスロットマシン、パチスロ機等の回胴式遊技機を含む種々の遊技機では、ランプ、ＬＥＤ等の発光手段を用いた様々な演出表示を行うことによって、遊技者の興趣を高め遊技が単調になるのを防ぐための工夫がなされている。例えば、透光性の絵の具、印刷インク等によって、複数の文字・図形等にそれぞれ異なる色彩（着色）を施した図柄を透明なシート（表示体）に描き、シートの後方側（遊技者との対面側とは反対側）からＬＥＤ（光源）を発光させることが提案されている（特許文献１，２参照）。
【０００３】
【特許文献１】特開２００７−１６７４６５号公報
【特許文献２】特開２００７−６１２２３号公報
【０００４】
特許文献１，２に開示された表示装置によれば、ＬＥＤ（光源）の発光色（点灯色）が図柄の色彩と一致するときには図柄が見えにくくなり、異なるとき（例えば補色関係）には混合色図柄（例えば無彩色図柄）が見えるようになる。したがって、ＬＥＤの発光色を変化させることによって、遊技者の興趣を高め遊技が単調になるのをある程度防ぐことができる。ところが、これらの表示装置では、図柄が表示されたシートの後方側にＬＥＤを配置し、ＬＥＤからの光をレンズ等の光拡散部材を介してシートの図柄に照射するので、表示された図柄は平面的にしか視認（表現）されず、立体感（奥行感）に乏しいため、遊技者の興趣を高めるには十分とはいえなかった。
【発明の開示】
【発明が解決しようとする課題】
【０００５】
本発明の課題は、一対の反射部材間に形成される光反射空間内に装飾体と光源とを配置することによって、奥行感、立体感のある装飾体像を視認可能とし、遊技者の興趣を飛躍的に高めることのできる遊技機用演出表示装置とそれを備えた遊技機を提供することにある。
【課題を解決するための手段及び発明の効果】
【０００６】
上記の課題を解決するために、遊技機に取り付けられる本発明の遊技機用演出表示装置は、
それぞれが反射層を含み（例えば、反射層を主表面又は内部に含む板状形態を有し）、それらの反射層を所定距離離間して対向配置することにより、両反射層間で光を繰り返し反射させるための光反射空間を形成するとともに、少なくとも遊技者に対面する前方側のものが光反射機能と光透過機能とを有する半透鏡として構成される一対の反射部材と、
前記光反射空間内に配置され、演出表示のために所定の形態を有する装飾体と、
同じく前記光反射空間内に配置され、前記装飾体に光を照射するための光源とを備え、
前記光源から発した光は、前記装飾体を照射し、かつ前記光反射空間内で繰り返し反射することにより後方側の第二反射部材から後方に向かって順次（例えば断続的に）並ぶ複数の装飾体像を結び、前方側の第一反射部材を介してそれらの装飾体像を遊技者が視認可能であることを特徴とする。
【０００７】
このように、一対の反射部材（例えば半透鏡）間に形成される光反射空間内に装飾体（例えば文字を象った象形物）と光源（例えばＬＥＤ）とを配置することによって、奥行感、立体感のある装飾体像が視認可能となる。これによって、合わせ鏡のような斬新な演出表示が可能となり、遊技者の興趣を飛躍的に高めることができる。
【０００８】
なお、「装飾体」には、生物・無生物・キャラクタ等を模した模写物や、数字・文字・図形・記号等を象った象形物等が含まれる。これらの装飾体は、透光性素材（例えば透明高分子材料）、非透光性素材（例えば金属材料や金属めっき）のいずれで形成されていてもよく、シート状、板状、ブロック状等の形状を問わない。したがって、光源から照射された光は、透光性素材にて構成された装飾体では透過し、非透光性素材にて構成された装飾体では反射する。また、「反射層」は、例えば反射部材の主表面（端面）に、銀、錫、アルミニウム、ニッケル、クロム等を真空蒸着、めっき等によって薄膜状、シート状等に形成することができ、その膜厚を調整することによって、反射部材（半透鏡）の反射率と透過率の割合を変えることができる。
【０００９】
そして、光源を装飾体の周面外方に配置する場合には、
発光状態の光源自身の光が光反射空間内で繰り返し反射することにより第二反射部材から後方に向かって順次（例えば断続的に）並ぶ複数の光源像を結び、第一反射部材を介してそれらの光源像を遊技者が視認可能となる。
【００１０】
このように、光源を装飾体の周面外方に配置することによって、上記装飾体像と併せて奥行感、立体感のある光源像も視認可能となるので、さらに演出表示の幅を広げて興趣向上を図ることができる。
【００１１】
さらに、第一反射部材を構成する半透鏡を、暗い側からは明るい側を透視しやすく、明るい側からは暗い側を透視しにくくなるように、光反射機能と光透過機能とを調整すれば、
光源の発光時には第一反射部材を介して装飾体像を遊技者が視認可能となる一方、光源の非発光時には装飾体像を遊技者が視認困難となる。
【００１２】
このように、前方側の第一反射部材をいわゆるハーフミラー（マジックミラー；マジックガラス）で構成することにより、上記した装飾体像を見せる（視認可能）状態と見せない（視認困難）状態とを切り替える際のコントラストを相対的に強めることができ、装飾体像をくっきりと表示できる。
【００１３】
ところで、装飾体を、光反射空間内において、第一反射部材及び第二反射部材のいずれからも離間する形で、両反射部材の間に配置することができる。
【００１４】
これによって、装飾体像は浮き上がったように、あるいは宙に浮いたように視認されるので、さらに奥行感、立体感を向上させることができる。また、装飾体像は装飾体の背面の形状等をも映し出すことができる。
【００１５】
そして、第二反射部材についても、暗い側からは明るい側を透視しやすく、明るい側からは暗い側を透視しにくくなるように、光反射機能と光透過機能とが調整された半透鏡にて構成する場合には、
第二反射部材の後方には、その第二反射部材を介して装飾体に光を照射するための補助光源を備え、
補助光源の発光時には、第一反射部材及び第二反射部材を介し、補助光源の光で照らし出された装飾体を遊技者が視認可能とすることができる。
【００１６】
このように、後方側の第二反射部材をいわゆるハーフミラー（マジックミラー；マジックガラス）で構成し、第二反射部材の後方に補助光源を備える場合には、光源に加えてさらに補助光源を発光させることによって演出表示パターンを拡大し、遊技者の興趣を一層向上させることができる。
【００１７】
また、補助光源と第二反射部材との間には、補助光源からの光が前方側に位置する装飾体に向けて第二反射部材の前面側から拡散する（とともに、補助光源と装飾体とを離間させて光照射量を増大させる）ための光拡散透過部材を備えることができる。
【００１８】
このような光拡散透過部材（例えば拡散レンズ）を設けることによって、前後方向の寸法を短縮して演出表示装置のコンパクト化を図れるとともに、装飾体に対してより多くの光を照射でき、装飾体の視認が一層容易となる。
【００１９】
あるいは、第二反射部材の後方には、前後方向に所定の厚みを有し、かつ周面側に配置された補助光源から導入された光が前方側に位置する装飾体に向けて第二反射部材の前面側から導出可能な透光性の導光部材を備えることができる。
【００２０】
このような導光部材（例えば導光板）を設けることによっても、前後方向の寸法を短縮して演出表示装置のコンパクト化を図れるとともに、装飾体に対してより多くの光を照射でき、装飾体の視認が一層容易となる。
【００２１】
さらに、第一反射部材と第二反射部材とのうち少なくともいずれか一方を、装飾体に対して位置変更可能とすることができる。
【００２２】
このように、第一反射部材や第二反射部材の位置を変更可能とすることによって、前後方向に断続的に並ぶ装飾体像や光源像をずらして（例えば湾曲線に沿って）視認させることができ、遊技者に更なる興趣を持たせることができる。なお、「第一反射部材や第二反射部材が位置変更可能」な態様として、
（１）第一反射部材又は第二反射部材の主表面に平行な又は交差（例えば直交）する軸線周りで回転可能とすること……このとき、装飾体像や光源像が湾曲線に沿って並ぶ場合がある；
（２）前後方向に、又は第一反射部材若しくは第二反射部材の主表面と平行な面内で直線状に移動可能とすること……このとき、装飾体像や光源像の相互間隔が変化する場合がある；
等を例示することができる。
【００２３】
また、
（ａ）第一反射部材と第二反射部材とのうち、一方が固定状態で、他方が装飾体と一体的に位置変更可能である場合；
（ｂ）第一反射部材と第二反射部材とのうち少なくともいずれか一方が、両反射部材とは独立して位置変更可能な装飾体とは異なる態様にて位置変更可能である場合；
等も含まれる。
【００２４】
あるいは、装飾体は、光反射空間内において第一反射部材及び第二反射部材とは独立して単独で、又は第一反射部材若しくは第二反射部材と一体となって、位置変更可能であってもよい。
【００２５】
装飾体を位置変更可能とすることによって、装飾体に対して光源又は補助光源からの光（装飾体を透過する光又は反射する光）の照射方向が変わるので、装飾体像を異なるイメージで視認させることができ、遊技者に更なる興趣を持たせることができる。なお、「装飾体が位置変更可能」な態様として、
（１）第一反射部材又は第二反射部材の主表面に平行な又は交差（例えば直交）する軸線周りで回転可能とすること……このとき、装飾体像と光源像との位置関係も変化する；
（２）前後方向に、又は第一反射部材若しくは第二反射部材の主表面と平行な面内で直線状に移動可能とすること……このとき、装飾体像と光源像との間隔も変化する；
等を例示することができる。
【００２６】
このうち、装飾体が、第一反射部材又は第二反射部材の主表面に平行な軸線周りで回転可能とする場合には、装飾体像を揺動させることによって光源像との位置関係を変化させることができ、遊技者により強い関心を持たせることができる。その際、装飾体は、主表面に平行な軸線周りで回転可能な第一反射部材又は第二反射部材と一体となって回転可能であってもよい。
【００２７】
そこで、上記課題を解決するために、本発明の遊技機は、
以上のような遊技機用演出表示装置を備えることを特徴とする。
【００２８】
このように、一対の反射部材（例えば半透鏡）間に形成される光反射空間内に装飾体（例えば文字を象った象形物）と光源（例えばＬＥＤ）とを配置することによって、奥行感、立体感のある装飾体像が視認可能となる。これによって、合わせ鏡のような斬新な演出表示が可能な遊技機を提供できる。
【発明を実施するための最良の形態】
【００２９】
（実施例１）
以下、本発明の実施の形態を図面を参照しつつ説明する。図１は本発明に係る遊技機用演出表示装置（以下、単に演出表示装置ともいう）を備えたパチンコ機を例示する正面図である。図１に示すように、パチンコ機１（遊技機）の遊技盤２の盤面（前面）には、ほぼ左半周が内外２本の発射レール２ｂによって区画され、全体として円形の遊技領域２ａが形成されている。遊技領域２ａの中央には液晶表示部３が搭載され、液晶表示部３の下方（遊技領域２ａの中央下部）に大入賞口４（アタッカー）が配置されている。また、液晶表示部３と大入賞口４との間には、電動チューリップ（電チュー）にて構成される始動口５が配置されている。また、液晶表示部３の上方（遊技領域２ａの中央上部）には、パチンコ機１の作動中（遊技中又は待機中）に、遊技者等に対して演出表示を行うための演出表示装置１０が取り付けられている。
【００３０】
なお、本明細書において、上下方向とは遊技盤２の盤面に沿う形で遊技球が流下する方向（例えば、鉛直方向）を意味する。また、左右方向とは遊技盤２の盤面に沿う形で上下方向と交差する方向（例えば、水平方向）を意味し、遊技者側からみて左側、右側をいう。さらに、前後方向とは遊技盤２と交差（例えば、直交）する方向を意味し、遊技者に対面する側（手前側）が前面側（前方側）であり、その反対側（奥側）が後面側（後方側）となる。
【００３１】
図２は本発明に係る演出表示装置の第一例を示す正面図及びＡ−Ａ断面図、図３はその演出表示装置を分解して示す斜視図である。図２及び図３に示すように、演出表示装置１０は、後方の収納ケース１９Ｂ（保持部材）と前方のカバー１９Ｆ（保持部材）とがビス１９ｂ等の締結部材で結合され、遊技機１の遊技領域２ａ（図１参照）に固定されている。収納ケース１９Ｂとカバー１９Ｆとはともに円筒状に形成され、その内部には、光反射空間Ｓを形成する前後一対の反射部材１１，１２と、光反射空間Ｓ内に配置された装飾体１３と、ＬＥＤ１４（光源）が実装されたＬＥＤ基板１４Ｂ（基板）とが収納されている。
【００３２】
一対の反射部材１１，１２は、例えばアクリル樹脂のように透光性を有する透明又は半透明の合成樹脂製であり、それぞれ主表面（端面）に反射膜１１１，１２１（反射層）を含む円形板状形態を有し、それらの反射膜１１１，１２１を平行状に所定距離離間させて対向配置されている。そのうち、前方側の反射部材１１は、ＬＥＤ１４の光を後端面に形成された前方反射膜１１１（第一反射層）で後方に反射する光反射機能と、ＬＥＤ１４の光を前方反射膜１１１から前方へ透過する光透過機能とを併有する前方レンズ１１（第一反射部材；半透鏡）に構成されている。また、前方レンズ１１は、暗い側からは明るい側を透視しやすく、明るい側からは暗い側を透視しにくくなるように、上記光反射機能（反射率）と光透過機能（透過率）とが調整され、いわゆるハーフミラー（マジックミラー；マジックガラス）に構成されている。この前方レンズ１１は、カバー１９Ｆの前端部に形成された開口１９ｃに後方側から嵌め込み固定されている。
【００３３】
具体的には、前方レンズ１１の後端面（主表面）に、例えば銀めっきにより前方反射膜１１１を形成する。その際、前方反射膜１１１の膜厚を調整することによって、前方レンズ１１は、例えば、ＬＥＤ１４の点灯時には、反射率７０％、透過率３０％となり、ＬＥＤ１４の消灯時には、反射率９５％、透過率５％となるような、ハーフミラーを構成する。したがって、ＬＥＤ１４の点灯時において、前方レンズ１１を介して内部の装飾体１３やＬＥＤ１４が見える（視認可能）状態と、ＬＥＤ１４の消灯時において、前方レンズ１１によりそれらが見えない（視認困難）状態とに切り替えることができる。
【００３４】
他方、後方側の反射部材１２は、ＬＥＤ１４の光を前端面に形成された後方反射膜１２１（第二反射層）で前方に反射する光反射機能を有する後方鏡１２（第二反射部材；反射鏡）に構成されている。具体的には、後方鏡１２の前端面（主表面）に、例えば銀めっきにより後方反射膜１２１を形成する際、その膜厚を調整することによって、後方鏡１２は、ＬＥＤ１４の点灯・消灯にかかわらず、反射率がほぼ１００％となるような、反射鏡を構成する。
【００３５】
装飾体１３は、数字・文字・図形・記号等を象った象形物（例えば“Ｎ”のアルファベット文字）として、板状の透光性素材（例えば、ポリエチレン（ＰＥ）、ポリプロピレン（ＰＰ）、ポリカーボネート（ＰＣ）のような透明高分子材料）に金属めっきを施した非透光性素材で構成され、ＬＥＤ１４の光を照射することにより種々の演出表示を行うことができる。また、装飾体１３の後端面を後方鏡１２の前端面（後方反射膜１２１）と密着させ、装飾体１３と後方鏡１２とを一体化することにより、演出表示装置１０の前後方向の厚みの薄型化を図っている。具体的には、装飾体１３と後方鏡１２とをそれぞれ上記したような透光性素材で構成し、両者を一体化してその全体に銀めっきを施して非透光性を付与してある（このとき後方反射膜１２１が形成される）。
【００３６】
ＬＥＤ１４は、円環状に形成されたＬＥＤ基板１４Ｂの内周面側に、所定の周方向角度間隔（例えば４５°間隔）で複数（例えば８個）実装されている。つまり、ＬＥＤ１４は光反射空間Ｓにおいて装飾体１３を取り囲むように、装飾体１３の周面に対してやや前方の外側に配置されている。
【００３７】
したがって、演出表示装置１０の光反射空間Ｓでは、周囲に配置された各ＬＥＤ１４からの光は装飾体１３の表面で乱反射してきらきら輝くとともに、前後の反射膜１１１，１２１間で繰り返し反射する。これらの反射光は、前後の反射膜１１１，１２１における反射のたびに装飾体像１３Ｉを結び、これらの装飾体像１３Ｉは後方鏡１２から後方に向かって順次断続的に並ぶ（図４，図５参照）。さらに、各ＬＥＤ１４自身の光も前後の反射膜１１１，１２１間で繰り返し反射し、反射のたびに光源像１４Ｉを結び、これらの光源像１４Ｉもやはり後方鏡１２から後方に向かって順次断続的に並ぶ（図４，図５参照）。
【００３８】
なお、収容ケース１９Ｂの内面（内底面及び内周面）は、光反射空間Ｓから外方へ漏出する光を反射して光反射空間Ｓへ再導入するための反射面１９ａに形成されている。具体的には、収容ケース１９Ｂを非透光性の白色合成樹脂材料で一体成形したり、内面を白色塗料で塗装したりすることによって、反射面１９ａを形成する。
【００３９】
また、カバー１９Ｆの内面（内周面）は、光反射空間Ｓから外方へ漏出する光を反射して光反射空間Ｓへ再導入するための反射面１９ａに形成されている。具体的には、カバー１９Ｆを白色の合成樹脂材料で一体成形したり、内面を白色塗料で塗装したりすることによって、反射面１９ａを形成する。
【００４０】
次に、以上のように構成された演出表示装置１０の演出表示態様について、図４，図５を用いて具体的に説明する。図４は装飾体像及び光源像の生成状況を示す一部破断斜視説明図、図５はその平面図である。
【００４１】
＜演出表示態様１（ＬＥＤ１４の消灯時）＞
一般的に、ＬＥＤ１４の消灯時には、ハーフミラーである前方レンズ１１によって前方側から光反射空間Ｓの内部を透視困難となり、前方レンズ１１の前面が見える（図２（ａ）参照）。
【００４２】
＜演出表示態様２（ＬＥＤ１４の点灯時）＞
前方レンズ１１を介して前方側から光反射空間Ｓの内部を透視できる。このとき、各ＬＥＤ１４からの光は装飾体１３の表面で乱反射してきらきら輝くとともに、前後の反射膜１１１，１２１間で繰り返し反射し、後方鏡１２から後方に向かって順次断続的に並ぶ複数の装飾体像１３Ｉを結ぶ。また、各ＬＥＤ１４からの光はそれ自身が前後の反射膜１１１，１２１間で繰り返し反射し、後方鏡１２から後方に向かって順次断続的に並ぶ複数の光源像１４Ｉを結ぶ。遊技者は、これらの装飾体像１３Ｉ及び光源像１４Ｉを、前方レンズ１１を介して視認することができる。なお、１１Ｉは前方レンズ像（第一反射部材像）、１２Ｉは後方鏡像（第二反射部材像）を表す。
【００４３】
このように、光反射空間Ｓ内に装飾体１３とＬＥＤ１４とを配置することによって、奥行感、立体感のある装飾体像１３Ｉ及び光源像１４Ｉが視認可能となる。これらによって、合わせ鏡のような斬新な演出表示が可能となり、遊技者の興趣を飛躍的に高めることができる。なお、装飾体１３を取り囲むように複数のＬＥＤ１４を設置し、各ＬＥＤ１４毎に発光色を変えたり点滅させたりすることによって、演出表示の多様化を図ることができる。
【００４４】
また、前方レンズ１１をハーフミラーで構成することにより、装飾体像１３Ｉや光源像１４Ｉを見せる（視認可能）状態と見せない（視認困難）状態とを切り替える際のコントラストを相対的に強めることができ、装飾体像１３Ｉや光源像１４Ｉをくっきりと表示できる。
【００４５】
（実施例２）
図６は演出表示装置の第二例を示す断面図、図７は装飾体像及び光源像の生成状況を示す平面図である。図６に示す演出表示装置１０では、装飾体１３は、光反射空間Ｓ内において、前方レンズ１１（第一反射部材；半透鏡）及び後方鏡１２（第二反射部材；反射鏡）のいずれからも離間する形で、両反射部材１１，１２の間に配置されている。また、装飾体１３の後端面と後方鏡１２の前端面（後方反射膜１２１）との離間により拡張した光反射空間Ｓを利用して、ＬＥＤ１４（光源）が装飾体１３の前後２列で配置されている。なお、この実施例では、透光性素材で構成された装飾体１３及び後方鏡１２に対して、それぞれ銀めっきを施すことにより非透光性を付与してある（このとき後方反射膜１２１が形成される）。
【００４６】
このように、装飾体１３を前方レンズ１１と後方鏡１２との中間位置に配置したことにより、装飾体像１３Ｉが浮き上がったように、あるいは宙に浮いたように視認されるので、さらに奥行感、立体感が向上する。また、図７に示すように、装飾体像１３Ｉは装飾体１３の背面の形状等をも映し出すことができる。さらに、２列のＬＥＤ１４を用いることにより、装飾体１３への照射量を増大させて装飾体像１３Ｉを明るく見せたり、ＬＥＤ１４の発光態様を一層多様化したりすることが可能となる。なお、図７に示す装飾体１３には、その後端面にカット、シボ、ローレット等の加工を施し、山型の凹凸１３ａ（ギザギザ）が形成されている。装飾体１３を透過する光がこの凹凸１３ａで屈折したり反射したりすることによって、装飾体像１３Ｉをさらに明るく見せることができる。
【００４７】
（実施例３）
図８は演出表示装置の第三例を示す断面図、図９はその演出表示装置を分解して示す斜視図である。図８及び図９に示す演出表示装置１０’の内部には、光反射空間Ｓを形成する前後一対の反射部材１１，１２’と、光反射空間Ｓ内に配置された装飾体１３と、ＬＥＤ１４（光源）が実装されたＬＥＤ基板１４Ｂ（基板）と、後方側の反射部材１２’のさらに後方にて補助ＬＥＤ１５（補助光源）が実装された補助ＬＥＤ基板１５Ｂ（補助基板）と、補助ＬＥＤ１５と後方側の反射部材１２’との間に配置された拡散レンズ１６（光拡散透過部材）とが収納されている。
【００４８】
この演出表示装置１０’では、前方側の反射部材１１に加えて後方側の反射部材１２’も、後方レンズ（第一反射部材；半透鏡）に構成されている。すなわち、後方レンズ１２’は、例えばアクリル樹脂のように透光性を有する透明又は半透明の合成樹脂製であり、ＬＥＤ１４の光を前端面に形成された後方反射膜１２１’（第二反射層）で前方に反射する光反射機能と、補助ＬＥＤ１５の光を後方反射膜１２１’から前方へ透過する光透過機能とを併有する。また、後方レンズ１２’は、暗い側からは明るい側を透視しやすく、明るい側からは暗い側を透視しにくくなるように、上記光反射機能（反射率）と光透過機能（透過率）とが調整され、いわゆるハーフミラー（マジックミラー；マジックガラス）に構成されている。
【００４９】
具体的には、後方レンズ１２’の前端面（主表面）に、例えば銀めっきにより後方反射膜１２１’を形成する。その際、後方反射膜１２１’の膜厚を調整することによって、後方レンズ１２’は、例えば、ＬＥＤ１４の消灯時には、反射率３０％、透過率７０％となり、ＬＥＤ１４の点灯時には、反射率９５％、透過率５％となるような、ハーフミラーを構成する。したがって、ＬＥＤ１４の消灯状態であって補助ＬＥＤ１５の点灯時において、前方レンズ１１及び後方レンズ１２’を介して補助ＬＥＤ１５等が見える（視認可能）状態と、ＬＥＤ１４の点灯時において、補助ＬＥＤ１５の点灯・消灯にかかわらず、後方レンズ１２’により補助ＬＥＤ１５が見えない（視認困難）状態とに切り替えることができる。なお、この実施例では、装飾体１３と後方レンズ１２’とをそれぞれ透光性素材で構成し、両者を一体化して銀めっきを施してある。その際、装飾体１３には銀めっきにより非透光性が付与され、後方レンズ１２’の前端面（主表面）には後方反射膜１２１’が形成される。
【００５０】
補助ＬＥＤ１５は、円形板状に形成された補助ＬＥＤ基板１５Ｂの前端面側に多数（例えば２６個）実装されている。つまり、補助ＬＥＤ１５は、後方レンズ１２’及び拡散レンズ１６を介して装飾体１３に背後から光を照射するように、演出表示装置１０’の後端部に配置されている。
【００５１】
拡散レンズ１６は、例えばアクリル樹脂のように透光性を有する透明又は半透明の合成樹脂製であり、内蔵する補助ＬＥＤ１５からの光を、前方側に位置する装飾体１３に向けて後方レンズ１２’の前面側から拡散させる。また、拡散レンズ１６は、有底円筒状に形成され、補助ＬＥＤ１５と装飾体１３とを離間させて光照射量を増大させている。
【００５２】
したがって、図８に示すように、ＬＥＤ１４の消灯状態であって補助ＬＥＤ１５の点灯時には、遊技者は、前方レンズ１１及び後方レンズ１２’を介して、補助ＬＥＤ１５の光で照らし出された装飾体１３を視認できる。このとき、装飾体１３は非透光性であるため補助ＬＥＤ１５の光を遮断し、遊技者にはシルエットとして（影絵のように浮かび上がって）視認される。
【００５３】
次に、以上のように構成された演出表示装置１０’の演出表示態様について、概略を説明する。
【００５４】
＜演出表示態様１’（ＬＥＤ１４及び補助ＬＥＤ１５の消灯時）＞
一般的に、ＬＥＤ１４及び補助ＬＥＤ１５の消灯時には、ハーフミラーである前方レンズ１１及び後方レンズ１２’によって前方側から演出表示装置１０’の内部を透視困難となり、前方レンズ１１の前面が見える（図２（ａ）参照）。
【００５５】
＜演出表示態様２’（ＬＥＤ１４の点灯時）＞
前方レンズ１１及び後方レンズ１２’を介して前方側から演出表示装置１０’の内部を透視できる。このとき、各ＬＥＤ１４からの光は装飾体１３の表面で乱反射してきらきら輝くとともに、前後の反射膜１１１，１２１’間で繰り返し反射し、後方レンズ１２’から後方に向かって順次断続的に並ぶ複数の装飾体像１３Ｉを結ぶ。また、各ＬＥＤ１４からの光はそれ自身が前後の反射膜１１１，１２１’間で繰り返し反射し、後方レンズ１２’から後方に向かって順次断続的に並ぶ複数の光源像１４Ｉを結ぶ。遊技者は、これらの装飾体像１３Ｉ及び光源像１４Ｉを、前方レンズ１１を介して視認することができる（図５参照）。一方、補助ＬＥＤ１５の点灯・消灯にかかわらず、後方レンズ１２’による補助ＬＥＤ１５の視認が困難となる。なお、ＬＥＤ１４の点灯時における後方レンズ１２’の反射率（９５％）と透過率（５％）との割合を変更する（例えば透過率の割合を高くする）ことによって、ＬＥＤ１４の点灯時に補助ＬＥＤ１５の点灯状況を遊技者が視認しやすくすることも可能である。
【００５６】
＜演出表示態様３（補助ＬＥＤ１５のみ点灯時）＞
補助ＬＥＤ１５からの光が拡散レンズ１６及び後方レンズ１２’を透過し、装飾体１３を背後から照射する。遊技者は、補助ＬＥＤ１５からの光によって照らし出された装飾体１３を、前方レンズ１１を介して視認することができる。このとき、装飾体１３は非透光性であるため補助ＬＥＤ１５の光を遮断し、遊技者にはシルエットとして（影絵のように浮かび上がって）視認される（図８参照）。
【００５７】
このように、後方レンズ１２’をハーフミラーで構成し、後方レンズ１２’の後方に補助ＬＥＤ１５を備える場合には、ＬＥＤ１４に加えてさらに補助ＬＥＤ１５を発光させることによって演出表示パターンを拡大し、遊技者の興趣を一層向上させることができる。
【００５８】
また、拡散レンズ１６を設けることによって、前後方向の寸法を短縮して演出表示装置１０’のコンパクト化を図れるとともに、補助ＬＥＤ１５の数が少なくても装飾体１３全体により多くの光を照射でき、装飾体１３の視認が一層容易となる。
【００５９】
（実施例４）
図１０は演出表示装置の第四例を示す断面図である。図１０に示す演出表示装置１０’の後方レンズ１２’（第二反射部材；半透鏡）の後方には、実施例３（図８）の拡散レンズ１６に代えて透光性の導光板１７（導光部材）が設けられている。
【００６０】
補助ＬＥＤ１５’（補助光源）は、円環状に形成された共通基板１８の内周面側において、ＬＥＤ１４（光源）の後方側に所定の周方向角度間隔（例えば４５°間隔）で複数（例えば８個）実装されている。つまり、ＬＥＤ１４と補助ＬＥＤ１５’とは、装飾体１３及び後方レンズ１２’を挟んで前後２列状に、周方向に沿って同位相で共通基板１８の内周面側に実装されている。ＬＥＤ１４は光反射空間Ｓにおいて装飾体１３を取り囲むように、装飾体１３の周面に対してやや前方の外側に配置され、補助ＬＥＤ１５’は導光板１７の外周面に対向する位置に配置されている。
【００６１】
導光板１７は、例えばアクリル樹脂のように透光性を有する透明又は半透明の合成樹脂製であり、前後方向に所定の厚みを有する円盤状に形成されて、周面側に配置された補助ＬＥＤ１５’から導入された光を前方側に位置する装飾体１３に向けて後方レンズ１２’の前面側から導出可能である。
【００６２】
このように、導光板１７を設けることによっても、前後方向の寸法を短縮して演出表示装置１０’のコンパクト化を図れるとともに、補助ＬＥＤ１５の数が少なくても装飾体１３全体により多くの光を照射でき、装飾体１３の視認が一層容易となる。
【００６３】
（実施例５）
図１１は演出表示装置の第五例を分解して示す斜視図、図１２は装飾体像及び光源像の生成状況を示す平面図である。図１１に示す演出表示装置１０では、実施例１（図３）の後方鏡１２（第二反射部材；反射鏡）が主表面（前端面）に平行な回転軸線Ｏ（軸線）周りで回転可能である。装飾体１３の後端面は後方鏡１２の前端面（後方反射膜１２１）と密着し、装飾体１３は後方鏡１２と一体化しているので、装飾体１３は後方鏡１２とともに回転軸線Ｏ周りで回転可能である。
【００６４】
具体的には、収容ケース１９Ｂの底壁部（後壁部）に固定される電動モータ２０の駆動力（回転力）が、傘歯車機構２１等の伝動機構を介して後方鏡１２の回転軸１２２（回転軸線Ｏ）に伝達される。後方鏡１２と装飾体１３とは、回転軸１２２と一体となって回転軸線Ｏ周りで回転する。
【００６５】
後方鏡１２の回転軸線Ｏ周りでの回転に伴って、前後方向に断続的に並ぶ装飾体像１３Ｉや光源像１４Ｉをずらして（例えば湾曲線に沿って）視認させることができ、遊技者に更なる興趣を持たせることができる。また、装飾体１３の回転軸線Ｏ周りでの回転に伴って、装飾体１３に対してＬＥＤ１４（光源）からの光（装飾体１３を透過する光又は反射する光）の照射方向が変わるので、装飾体像１３Ｉを異なるイメージで視認させることができ、遊技者に更なる興趣を持たせることができる。さらに、装飾体１３が後方鏡１２の主表面に平行な回転軸線Ｏ周りで回転可能としたので、装飾体像１３Ｉを揺動させることによって光源像１４Ｉとの位置関係を変化させることができ、遊技者により一層強い関心を持たせることができる。
【００６６】
（実施例６）
図１３は演出表示装置の第六例を示す断面図、図１４は装飾体像及び光源像の生成状況を示す平面図である。図１３に示す演出表示装置１０では、実施例２（図６）の後方鏡１２（第二反射部材；反射鏡）が主表面（前端面）に平行な回転軸線Ｏ（軸線）周りで回転可能である。
【００６７】
具体的には、収容ケース１９Ｂの底壁部（後壁部）に固定される電動モータ２０の駆動力（回転力）が、傘歯車機構２１等の伝動機構を介して後方鏡１２の回転軸１２２（回転軸線Ｏ）に伝達される。後方鏡１２は、回転軸１２２と一体となって回転軸線Ｏ周りで回転する。
【００６８】
後方鏡１２の回転軸線Ｏ周りでの回転に伴って、前後方向に断続的に並ぶ装飾体像１３Ｉや光源像１４Ｉをずらして（例えば湾曲線に沿って）視認させることができ、遊技者に更なる興趣を持たせることができる。
【００６９】
（実施例７）
図１５は演出表示装置の第七例を示す断面図、図１６は装飾体像及び光源像の生成状況を示す平面図である。図１５に示す演出表示装置１０では、実施例２（図６）の装飾体１３が後方鏡１２（第二反射部材；反射鏡）の主表面（前端面）に平行な回転軸線Ｏ（軸線）周りで回転可能である。
【００７０】
具体的には、収容ケース１９Ｂの底壁部（後壁部）に固定される電動モータ２０の駆動力（回転力）が、傘歯車機構２１等の伝動機構を介して装飾体１３の回転軸１３２（回転軸線Ｏ）に伝達される。装飾体１３は、回転軸１３２と一体となって回転軸線Ｏ周りで回転する。
【００７１】
装飾体１３の回転軸線Ｏ周りでの回転に伴って、装飾体１３に対してＬＥＤ１４（光源）からの光（装飾体１３を透過する光又は反射する光）の照射方向が変わるので、装飾体像１３Ｉを異なるイメージで視認させることができ、遊技者に更なる興趣を持たせることができる。また、装飾体１３が後方鏡１２の主表面に平行な回転軸線Ｏ周りで回転可能としたので、装飾体像１３Ｉを揺動させることによって光源像１４Ｉとの位置関係を変化させることができ、遊技者により一層強い関心を持たせることができる。
【００７２】
なお、実施例２〜実施例７（図６〜図１６）において実施例１（図２〜図５）と共通する機能を有する部分にはそれぞれ同一符号を付して説明を省略する。
【００７３】
以上の実施例では演出表示装置をパチンコ機に取り付けた場合のみについて説明したが、アレパチ機等の他の弾球遊技機やスロットマシン、パチスロ機等の回胴式遊技機に取り付けてもよい。
【００７４】
また、各実施例では、透光性素材で構成した装飾体１３に非透光性を付与したが、透光性素材で構成したままであってもよい。この場合には、ＬＥＤ１４からの光は装飾体１３を透過するとともに、前後の反射膜１１１，１２１（１２１’）間で繰り返し反射する。なお、拡散レンズ１６（図８）の中央後面（内底面）や導光板１７（図１０）の後端面にも、図７に示す装飾体１３と同様に、カット、シボ、ローレット等の加工を施し、凹凸を設けることによって、装飾体像１３Ｉをさらに明るく見せることができる。
【図面の簡単な説明】
【００７５】
【図１】本発明に係る演出表示装置を備えたパチンコ機を例示する正面図。
【図２】本発明に係る演出表示装置の第一例を示す正面図及びＡ−Ａ断面図。
【図３】図２の演出表示装置を分解して示す斜視図。
【図４】装飾体像及び光源像の生成状況を示す一部破断斜視説明図。
【図５】図４の平面図。
【図６】演出表示装置の第二例を示す断面図。
【図７】装飾体像及び光源像の生成状況を示す平面図。
【図８】演出表示装置の第三例を示す断面図。
【図９】図８の演出表示装置を分解して示す斜視図。
【図１０】演出表示装置の第四例を示す断面図。
【図１１】演出表示装置の第五例を分解して示す斜視図。
【図１２】装飾体像及び光源像の生成状況を示す平面図。
【図１３】演出表示装置の第六例を示す断面図。
【図１４】装飾体像及び光源像の生成状況を示す平面図。
【図１５】演出表示装置の第七例を示す断面図。
【図１６】装飾体像及び光源像の生成状況を示す平面図。
【符号の説明】
【００７６】
１        パチンコ機（遊技機）
１０，１０’  演出表示装置（遊技機用演出表示装置）
１１      前方レンズ（第一反射部材；半透鏡）
１１１    前方反射膜（第一反射層）
１２      後方鏡（第二反射部材；反射鏡）
１２’    後方レンズ（第二反射部材；半透鏡）
１２１，１２１’  後方反射膜（第二反射層）
１２２    回転軸
１３      装飾体
１３２    回転軸
１３Ｉ    装飾体像
１４      ＬＥＤ（光源）
１４Ｂ    ＬＥＤ基板（基板）
１４Ｉ    光源像
１５，１５’  補助ＬＥＤ（補助光源）
１５Ｂ    補助ＬＥＤ基板（補助基板）
１６      拡散レンズ（光拡散透過部材）
１７      導光板（導光部材）
１８      共通基板
１９Ｂ    収容ケース（保持部材）
１９Ｆ    カバー（保持部材）
１９ａ    反射面
１９ｂ    ビス（締結部材）
１９ｃ    開口
２０      電動モータ
２１      傘歯車機構（伝動機構）
Ｏ        回転軸線（軸線）
Ｓ        光反射空間
【図１】
2010148684.tif 000003
【図２】
2010148684.tif 000004
【図３】
2010148684.tif 000005
【図４】
2010148684.tif 000006
【図５】
2010148684.tif 000007
【図６】
2010148684.tif 000008
【図７】
2010148684.tif 000009
【図８】
2010148684.tif 000010
【図９】
2010148684.tif 000011
【図１０】
2010148684.tif 000012
【図１１】
2010148684.tif 000013
【図１２】
2010148684.tif 000014
【図１３】
2010148684.tif 000015
【図１４】
2010148684.tif 000016
【図１５】
2010148684.tif 000017
【図１６】
2010148684.tif 000018